(57)【要約】【課題】デュアルビュー液晶タッチパネルにおける誤操作を防止すると共に正しい操作に対して確実に処理を実行することが可能な表示装置、及び、当該表示装置を備えた画像形成装置を提供すること。【解決手段】第１の視野角方向に位置する視聴者に対して表示する操作子が操作され、かつ、前記操作子と対応した、第１の視野角方向である表示部２の右側に配設されたセンサが、操作指示体の接近を感知した場合、当該操作子に係る処理を実行すると決定し、当該決定に基づいて、制御部１４は操作された操作子に係る処理を実行する。【選択図】図２
2008257446.tif 000002
【特許請求の範囲】
【請求項１】
表示画面に対して第１の視野角方向及び第２の視野角方向に位置する視聴者に対し夫々の画像を同時に表示するタッチパネルを有する表示装置において、
前記第１の視野角方向及び／又は第２の視野角方向に位置する視聴者に対して表示する画像に操作子を表示し、
前記第１の視野角方向及び第２の視野角方向と対応させて前記表示画面周辺の夫々の視野角方向の部位に前記操作子を操作する操作指示体の接近を感知する複数のセンサを配設し、
前記操作子が操作された場合、当該操作子を表示する画像の視野角と対応する部位の前記センサが操作指示体の接近を感知した場合に前記操作された操作子に係る処理を実行することを特徴とする表示装置。
【請求項２】
前記第１の視野角方向及び第２の視野角方向に対応する部位の両方のセンサが操作指示体の接近を感知した場合は、感知した数が多いセンサの部位の視野角方向のセンサが操作指示体の接近を感知したものとみなすことを特徴とする請求項１に記載の表示装置。
【請求項３】
前記センサは、前記表示画面周辺の右側及び左側、及び／又は、上側及び／又は下側に配設されることを特徴とする請求項１又は２に記載の表示装置。
【請求項４】
前記センサは、赤外線センサであることを特徴とする請求項１〜３のいずれかに記載の表示装置。
【請求項５】
前記操作子は、前記表示装置に接続された外部機器を操作するための操作子であることを特徴とする請求項１〜４のいずれかに記載の表示装置。
【請求項６】
請求項１〜５のいずれかに記載の表示装置を備えたことを特徴とする画像形成装置。
【発明の詳細な説明】
【技術分野】
【０００１】
本発明は、表示装置、及び、画像形成装置、特に、デュアルビュー表示が可能な液晶タッチパネルを備えた表示装置、及び、当該表示装置を備えた画像形成装置に関する。
【背景技術】
【０００２】
現在、デュアルビュー表示が可能な液晶パネル（以下、デュアルビュー液晶と記す）を備えた表示装置が市場に投入されている。デュアルビュー液晶は、例えば、表示画面に対して左側の視野角方向から視聴する視聴者のみが視認できる画像と、同左側の視野角方向から視聴する視聴者のみがそれぞれ視聴できる画像を一表示画面に、同時に表示することができる（特許文献１参照）。
【０００３】
ここで、図４を用いてデュアルビュー表示の原理について説明する。
視野バリア１０１は、不透明領域（黒色部）で隔たれた透明スリットを多数有するフィルタであり、液晶パネル１０２を透過したバックライト（図示しない）からの光線を左右に分離する。
【０００４】
図からも明らかなように、液晶パネル１０２の画素ｘを透過した光線は、視野バリア１０１の透明スリットを透過して液晶パネル１０２の表示面に対して図で右側の第１の視野角方向に位置する視聴者Ｘに到達する。同様に、液晶パネルの画素ｙを透過した光線は、視野バリア１０１の透明スリットを透過して液晶パネル１０２の表示面に対して図で左側の第２の視野角方向に位置する視聴者Ｙに到達する。
【０００５】
そして、視野バリア１０１の透明スリットの幅や間隔に応じて、１画素ごと又は複数の画素ごとに、異なる画像データを液晶パネル１０２に出力すれば、視野バリア１０１により異なる画像をそれぞれ分離して表示することができる。
【０００６】
このようなデュアルビュー液晶をタッチパネルと共に用いることで、デュアルビュー液晶タッチパネルとすることができる。
図５は、デュアルビュー液晶タッチパネルを備えた車載用表示装置に表示される映像の一例を示したものである。
【０００７】
１１１はデュアルビュー液晶タッチパネルの表示部であり、当該表示部１１１にはカーナビゲーション（カーナビ）画面１１２及びＤＶＤ映像１１３がデュアルビュー表示され、カーナビ画面１１２は当該表示部１１１の表示面に対して第１の視野角方向（右側）に位置する運転手によって視聴され、また、ＤＶＤ映像１１３は当該表示部１１１の表示面に対して第２の視野角方向（左側）に位置する助手席の同乗者によって視聴される。
つまり、運転者は、カーナビ画面１１２を視聴することができるがＤＶＤ映像１１３を視聴することができず、同様に、同乗者は、ＤＶＤ映像１１３を視聴することができるがカーナビ画面１１２を視聴することができない。
【０００８】
また、カーナビ画面１１２には、例えば拡大表示アイコン１１２ａ等の操作子が表示され、また、ＤＶＤ映像１１３には、停止アイコン１１３ｂ等の操作子が表示されている。なお、操作子としては、アイコンだけでなく、ボタン等が表示される。
【０００９】
前記画面の表示中に、運転手がカーナビ画面１１２に表示された拡大表示アイコン１１２ａを押そうとして、誤って、同乗者のために表示されたＤＶＤ映像１１３上の停止アイコン１１３ｂを押してしまうことがある。
また、同乗者がＤＶＤ映像１１３に表示された停止アイコン１１３ｂを押そうとして、誤って、運転者のために表示されたカーナビ画面１１２上の拡大表示アイコン１１２ａを押してしまうことがある。
【００１０】
このように、誤って他画面の操作子を操作してしまうと、当該操作子の操作により、予期しない画面が表示されたり、予期しない処理が実行されたりするので、当該他画面の視聴者は、困惑してしまうという問題があった。
【００１１】
前記問題を解決するため、表示された操作子に接触する指等の操作指示体の移動方向（入力方向）を検出することにより、表示部１１１の表示面に対して第１の視野角方向又は第２の視野角方向に位置する視聴者に対して表示された操作子が正しく操作されたものかを判定し、当該判定結果に基づき、前記操作子に係る処理を実行するか否かを決定できる表示装置が特許文献２に開示されている。
【特許文献１】特開２００５−７８０７６号公報
【特許文献２】特開２００５−２８４５９２号公報
【発明の開示】
【発明が解決しようとする課題】
【００１２】
しかし、特許文献２に開示の表示装置であっても、タッチパネルに表示される操作子を真上から押した場合には、操作指示体の移動方向を検出することができないため、前記判定処理を実行することができないという問題があった。
【００１３】
本発明は、かかる実情に鑑みてなされたものであり、デュアルビュー液晶タッチパネルにおける誤操作を防止すると共に正しい操作に対して確実に処理を実行することが可能な表示装置、及び、当該表示装置を備えた画像形成装置を提供することを目的とする。
【課題を解決するための手段】
【００１４】
第１の技術手段は、表示画面に対して第１の視野角方向及び第２の視野角方向に位置する視聴者に対し夫々の画像を同時に表示するタッチパネルを有する表示装置において、前記第１の視野角方向及び／又は第２の視野角方向に位置する視聴者に対して表示する画像に操作子を表示し、前記第１の視野角方向及び第２の視野角方向と対応させて前記表示画面周辺の夫々の視野角方向の部位に前記操作子を操作する操作指示体の接近を感知する複数のセンサを配設し、前記操作子が操作された場合、当該操作子を表示する画像の視野角と対応する部位の前記センサが操作指示体の接近を感知した場合に前記操作された操作子に係る処理を実行することを特徴とする表示装置である。
【００１５】
第２の技術手段は、第１の技術手段において、前記第１の視野角方向及び第２の視野角方向に対応する部位の両方のセンサが操作指示体の接近を感知した場合は、感知した数が多いセンサの部位の視野角方向のセンサが操作指示体の接近を感知したものとみなすことを特徴とする。
【００１６】
第３の技術手段は、第１又は第２の技術手段における、前記センサは、前記表示画面周辺の右側及び左側、及び／又は、上側及び／又は下側に配設されることを特徴とする。
【００１７】
第４の技術手段は、第１〜第３のいずれかの技術手段における、前記センサは、赤外線センサであることを特徴とする。
【００１８】
第５の技術手段は、第１〜第４のいずれかの技術手段における、前記操作子は、前記表示装置に接続された外部機器を操作するための操作子であることを特徴とする。
【００１９】
第６の技術手段は、第１〜第５のいずれかの技術手段における、前記表示装置を備えたことを特徴とする画像形成装置である。
【発明の効果】
【００２０】
本発明により、デュアルビュー液晶タッチパネルにおける表示画面の操作子を他画面の視聴者が誤操作した場合の誤動作を防止することができる。また、タッチパネルに接触している指等を殆ど移動することなく正面から操作子を押した場合であっても、正しい動作を実現できる。
【発明を実施するための最良の形態】
【００２１】
図１は本発明に係る表示装置１の外観の一例を示した図である。
表示装置１の表示部（表示画面）２には、前述したように、カーナビ画面５及びＤＶＤ映像６が同時に表示される。
３は表示部２を保持する筐体であり、当該筐体３には、前記表示部２のタッチパネルが視聴者、例えば、運転者又は同乗者の指，手，スタイラス等、操作子を操作するための指示体（以下、操作指示体と記す）が表示部２に接近したことを感知するためのセンサ４が備わっている。なお、操作子としては、アイコン、ボタン、スクロールゲージ等が表示される。
【００２２】
センサ４（Ｒ）は、第１の視野角方向である表示部２の右側に配設され、第１の視野角方向に位置する視聴者（運転者）に対して表示される操作子と対応したセンサであり、同じくセンサ４（Ｌ）は、第２の視野角方向である表示部２の左側に配設され、第２の視野角方向に位置する視聴者（同乗者）に対して表示される操作子と対応したセンサである。
上記のようなセンサの配置により、運転者に対して表示された操作子を運転者が操作する場合、通常はセンサ４（Ｒ）が運転者の指等の操作指示体の接近を感知することになる。同様に、同乗者が同乗者に対して表示されたＤＶＤ等の操作子を操作する場合、センサ４（Ｌ）が同乗者の指等の操作指示体の接近を感知する。
【００２３】
なお、センサ４の一例として、赤外線センサ等を用いることができる。
また、センサ４を表示部２の画面周辺の右側及び左側、及び／又は、上側及び／又は下側にも配設してもよい。
【００２４】
本発明では、符号Ｃで示したように、第１の視野角方向（右側）に位置する視聴者（運転者）が、当該視聴者に対して表示するカーナビ画面５上の拡大表示アイコン５ａを押した場合は、第１の視野角方向である表示部２の右側に配設されたカーナビ画面５上の拡大表示アイコン５ａを示す操作子と対応したセンサ４（Ｒ）が黒丸で示すように操作指示体の接近を感知する。
【００２５】
このように操作子に対し正しい操作が行なわれた場合には、操作子が操作されると共に当該操作子と対応したセンサが操作指示体の接近を感知するので、操作子と対応するセンサの感知を条件に操作された操作子（アイコン）に係る処理を実行することにより、操作子に係る処理の誤動作を防止することができる。
【００２６】
また、符号Ｍで示したように、第１の視野角方向（右側）に位置する視聴者（運転者）が、当該視聴者に対して表示するカーナビ画面５上の拡大表示アイコン５ａを押そうとして、誤って、ＤＶＤ映像６上の停止アイコン６ｂを押した場合は、第１の視野角方向である表示部２の右側に配設されたカーナビ画面５上の拡大表示アイコン５ａと対応したセンサ４（Ｒ）が黒丸で示すように操作指示体の接近を感知する。
【００２７】
このように、誤った操作がされた場合には、操作された操作子と対応するセンサ（この場合センサ４Ｌ）は、操作指示体の接近を感知しないので、当該操作子（停止アイコン６ｂ）にかかる処理は実行されることはなく、誤動作を防止することができる。
【００２８】
さらに、上記において、符号７で示したように、センサ４Ｒと共にセンサ４Ｌが誤操作の操作指示体の接近を感知した場合には、感知した数が多い視野角方向の操作子と対応するセンサが操作指示体の接近を感知したものとみなす。それによって、図示例では、センサ４Ｒが操作指示体の接近を感知したものとみなし、前述したように、誤操作された操作子に係る処理は実行されない。このように、操作子の誤操作による誤動作を確実に防止できる。
【００２９】
図２は、本発明に係る表示装置のブロック図であり、１は表示装置全体を示している。
【００３０】
液晶パネル１１は、前述した視野バリア（図示しない）を備えたデュアルビュー画面を表示可能な液晶パネルであり、後述のタッチパネル１２と共に表示部２を構成する。同パネル１１は、図示しない２つの基板の間に注入されている異方性誘電率を有する液晶層を有し、その液晶層に印加される電界の強さに応じてバックライト（図示しない）からの光の量を調整し画像を表示させる。
【００３１】
液晶パネル１１にデュアルビュー表示を行なわせるためには、例えば、図４で説明したように、液晶パネル１１の各画素を、液晶パネル１１の表示面に対して第１の視野角方向に位置する視聴者に対して表示する画像を表示できるように及び同表示面に対して第２の視野角方向に位置する視聴者に対して表示する画像を表示できるように駆動すればよく、その手法は、既に提案されている様々な手法を採用することができる。
【００３２】
タッチパネル１２は、液晶パネル１１の全面に設けられ、視聴者が同パネル１２に指等の導電体を接触させると、同パネル１２内において静電容量結合が起こり、電流が流れ、タッチ位置検出部１３は、当該電流を測定することにより、視聴者がタッチパネル１２上にタッチした位置の座標値（タッチ座標値）を算出し、制御部１４へ出力する。制御部１４は、入力されたタッチ座標値により、視聴者がタッチした位置を認識することができる。
【００３３】
制御部１４は、第１の視野角方向に位置する視聴者に対して表示する画像データを出力する画像データ出力部１７Ｒが出力した画像データと、メモリ１６Ｒに記憶されている、第１の視野角方向に位置する視聴者に対して表示する画像上の操作子に係る表示情報や動作情報を含む操作子データとを重畳し、重畳した画像データを液晶表示制御部１５に出力する。なお、表示情報とは、当該操作子の表示位置，形状等の情報、また、動作情報とは、当該操作子の操作により実行される動作内容（再生動作，停止動作等）の情報を意味する。
【００３４】
同様に、制御部１４は、第２の視野角方向に位置する視聴者に対して表示する画像データを出力する画像データ出力部１７Ｌが出力した画像データと、メモリ１６Ｌに記憶されている、第２の視野角方向に位置する視聴者に対して表示する画像上の操作子に係る表示情報や動作情報を含む操作子データとを重畳し、重畳した画像データを液晶表示制御部１５に出力する。
なお、操作実行決定部１４ａについては後述する。
【００３５】
液晶表示制御部１５は、制御部１４が出力した第１の視野角方向に位置する視聴者に対して表示する画像データと第２の視野角方向に位置する視聴者に対して表示する画像データとが、デュアルビュー表示されるように、所定の処理を各画像データに施して、液晶パネル１１に出力し、同パネル１１の各画素を駆動する。この際、液晶表示制御部１５は、液晶パネル１１の表示動作を制御するために必要な制御信号も合わせて出力する。
【００３６】
メモリ１６Ｒは、第１の視野角方向に位置する視聴者に対して表示する画像上の操作子に係る表示情報や動作情報を含む操作子データを記憶する。
メモリ１６Ｌは、第２の視野角方向に位置する視聴者に対して表示する画像上の操作子に係る表示情報や動作情報を含む操作子データを記憶する。
【００３７】
画像データ出力部１７Ｒは、第１の視野角方向に位置する視聴者に対して表示する画像データを図示しない記録媒体等から取り込み制御部１４に出力する。
画像データ出力部１７Ｌは、第２の視野角方向に位置する視聴者に対して表示する画像データを図示しない記録媒体等から取り込み制御部１４に出力する。
【００３８】
ここで、操作実行決定部１４ａについて説明する。
操作実行決定部１４ａは、表示部２に表示された操作子の操作と当該操作子と対応して配設されたセンサに係る操作指示体の接近の感知によって、操作された操作子に係る処理を実行するか否かを決定する。
詳述すれば、前述のとおり、第１の視野角方向（右側）に位置する視聴者に対して表示する操作子が操作され、かつ、当該操作子と対応して、第１の視野角方向である表示部２の右側に配設されたセンサ（図１の４Ｒ）が、操作指示体の接近を感知した場合、当該操作子に係る処理を実行すると決定し、当該決定に基づいて、制御部１４は操作された操作子に係る処理を実行する。
【００３９】
そして、第１の視野角方向（右側）に位置する視聴者に対して表示する操作子が操作されたが、第２の視野角方向である表示部２の左側に配設されたセンサ（図１の４Ｌ）が、操作指示体の接近を感知した場合、当該操作子に係る処理を実行しない。
なお、以上の説明では、第１の視野角方向に位置する視聴者に対して表示する操作子の操作に関して説明したが、第２の視野角方向に位置する視聴者に対して表示する操作子の操作についても同様である。
【００４０】
さらに、前述の表示部２の右側に配設されたセンサ４Ｒと表示部２の左側に配設されたセンサ４Ｌの両者が操作指示体の接近を感知した場合、感知した数が多いセンサの部位の視野角方向のセンサが操作指示体の接近を感知したものとみなす。
【００４１】
図３は、前記操作実行決定処理を説明するためのフロー図である。
視聴者が液晶パネル１１の操作子を操作しようとして視聴者の指を前記操作子に向けて動かすと、センサ４が、視聴者の操作指示体が液晶パネル１１に接近したことを感知する（ステップＳ１）。そして、視聴者が液晶パネル１１の操作子を操作する（ステップＳ２）。
【００４２】
また、操作実行決定部１４ａは、前述のように、第１の視野角方向である表示部２の右側に配設されたセンサ４Ｒと第２の視野角方向である表示部２の左側に配設されたセンサ４Ｌの両者が操作指示体の接近を感知した場合には（ステップＳ３／ＹＥＳ）、感知した数が多いセンサの部位の視野角方向のセンサが操作指示体の接近を感知したものとみなす（ステップＳ４）。
【００４３】
ステップＳ４の処理後、又は、センサ４Ｒ，センサ４Ｌの何れか一方が操作指示体の接近を感知している場合（ステップＳ３／ＮＯ）、操作指示体の接近を感知したセンサは、４Ｒ（右側）か４Ｌ（左側）かを検知する（ステップＳ５）。
【００４４】
センサ４Ｒが操作指示体の接近を感知し（ステップＳ５／センサ４Ｒが感知）、右側の視聴者（第１の視野角方向に位置する視聴者）に対して表示する操作子が操作された場合には（ステップＳ６／ＹＥＳ）、操作実行決定部１４ａは、当該操作子に係る処理を実行すると決定し、当該決定に基づいて、制御部１４は操作された操作子に係る処理を実行する（ステップＳ７）。
【００４５】
一方、ステップＳ５で、センサ４Ｒが操作指示体の接近を感知したが（ステップＳ５／センサ４Ｒが感知）、左側の視聴者に対して表示する操作子が操作された場合には（ステップＳ６／ＮＯ）、操作実行決定部１４ａは、当該操作子に係る処理を実行しないと決定し、制御部１４は操作された操作子に係る処理を実行しない（ステップＳ９）。
【００４６】
また、ステップ５で、センサ４Ｌが操作指示体の接近を感知し（ステップＳ５／センサ４Ｌが感知）、左側の視聴者（第２の視野角方向に位置する視聴者）に対して表示する操作子が操作された場合には（ステップＳ８／ＹＥＳ）、前述のように、操作された操作子に係る処理を実行する（ステップＳ７）。
【００４７】
一方、前述と同様に、ステップＳ５で、センサ４Ｌが操作指示体の接近を感知したが（ステップＳ５／センサ４Ｌが感知）、右側の視聴者に対して表示する操作子が操作された場合には（ステップＳ８／ＮＯ）、制御部１４は、操作された操作子に係る処理を実行しない（ステップＳ９）。
【００４８】
このようにすることで、デュアルビュー液晶タッチパネルにおける他画面視聴者の誤操作による誤動作を防止することができ、快適な操作を実現できる。
【００４９】
なお、本発明に係る表示装置を複合機等の画像形成装置に搭載することができる。
【図面の簡単な説明】
【００５０】
【図１】本発明に係る表示装置の外観の一例を示した図である。
【図２】本発明に係る表示装置のブロック図である。
【図３】操作実行処理を説明するためのフロー図である。
【図４】デュアルビュー表示の原理について説明するための図である。
【図５】デュアルビュー液晶タッチパネルに表示される映像の一例を示したものである。
【符号の説明】
【００５１】
１…表示装置、２…表示部、３…筐体、４…センサ、５…カーナビ画面、６…ＤＶＤ映像、１１…液晶パネル、１２…タッチパネル、１３…タッチ位置検出部、１４…制御部、１４ａ…操作実行決定部、１５…液晶表示制御部、１６Ｒ，１６Ｌ…メモリ、１７Ｒ，１７Ｌ…画像データ出力部、１０１…視野バリア、１０２…液晶パネル、１１１…表示部、１１２…カーナビ画面、１１３…ＤＶＤ映像。
【図１】
2008257446.tif 000003
【図２】
2008257446.tif 000004
【図３】
2008257446.tif 000005
【図４】
2008257446.tif 000006
【図５】
2008257446.tif 000007